(57)【特許請求の範囲】
【請求項１】
傾斜ケーブルの外周面に巻き回したゴム線を、前記傾斜ケーブルの長手方向へ所定の間隔で配置するようにした傾斜ケーブルの振動防止装置であって、
ゴム線と、
軸部の一方端に備えて前記ゴム線の一側が取り付けられる取付部と、前記軸部の他方端に備えられ、前記軸部の軸線から離れるように孤状に曲げられた湾曲部、該湾曲部に連なって前記軸部から離れるように曲けられた頂部、該頂部に連なり前記軸部に近付くように曲げられた係止端を有して前記ゴム線の他側に係合・離脱が可能なフック部と、を有する係止部材と、
複数の前記係止部材が所定の間隔を保持するように各係止部材における前記フック部の前記湾曲部に締結したガイドロープと、
からなることを特徴とする傾斜ケーブルの振動防止装置。
【請求項２】
前記ゴム線は、環状ゴム線、又は、線状ゴム線を所要長さに切断した切断ゴム線であることを特徴とする請求項１に記載の傾斜ケーブルの振動防止装置。
【請求項３】
前記係止部材は、前記軸部の一方端には取付リングによる前記取付部を備え、前記軸部の他方端には前記フック部を備えていることを特徴とする請求項１又は２に記載の傾斜ケーブルの振動防止装置。
【請求項４】
前記係止部材は、前記軸部の両端に互いに逆向きのフック部分を備えたＳ字フックであり、該Ｓ字フックの一方のフック部分は前記取付部であり、前記Ｓ字フックの他方のフック部分は前記フック部であることを特徴とする請求項１又は２に記載の傾斜ケーブルの振動防止装置。
【請求項５】
前記係止部材は、前記軸部の一方端には取付突部による前記取付部を備え、前記軸部の他方端には前記フック部を備えていることを特徴とする請求項１又は２に記載の傾斜ケーブルの振動防止装置。
【請求項６】
請求項１〜５に記載の傾斜ケーブルの振動防止装置の取り付け・取り外し方法であって、傾斜ケーブルの下側面に、フック部の湾曲部がガイドロープにより所定の間隔で締結され且つ取付部にゴム線の一側が取り付けられた複数の係止部材の１つを配置し、該１つの係止部材の取付部に一側を取り付けたゴム線を前記傾斜ケーブルの外周面に巻き回して他側を前記１つの係止部材のフック部に係止することにより前記１つの係止部材を固定し、続いて、固定した前記１つの係止部材に所定の間隔を保持して締結された他の係止部材をガイドロープの長さを利用して前記間隔で前記傾斜ケーブルの下側面に配置し、前記他の係止部材の取付部に取り付けたゴム線を前記傾斜ケーブルの外周面に巻き回して他側を前記他の係止部材のフック部に係止することにより前記他の係止部材を固定することで振動防止装置の取り付けを行い、振動防止装置の取り外し時には、前記ガイドロープの下端を引っ張ることにより該ガイドロープに締結された各係止部材の前記湾曲部が引っ張られて、各係止端がゴム線の他側から外れることにより取り外されることを特徴とする傾斜ケーブルの振動防止装置の取り付け・取り外し方法。
【発明の詳細な説明】
【技術分野】
【０００１】
本発明は、簡単な構成で傾斜ケーブルの振動を効果的に防止でき、且つ、傾斜ケーブルに対する取り付け・取り外しが容易に可能な傾斜ケーブルの振動防止装置及びその取り付け・取り外し方法に関するものである。
【背景技術】
【０００２】
斜張橋は、橋桁と主塔との間に斜めに架設した複数の傾斜ケーブルを有しており、これらの傾斜ケーブルにより橋桁を支持する構造となっている。上記傾斜ケーブルは複数の鋼線又は鋼線のより線を束ねた鋼線束からなり、鋼線の腐食を防止するために、通常は鋼線束の外面を高密度ポリエチレン製の保護管により覆った構造を有している。
【０００３】
前記傾斜ケーブルの断面積が小さい場合には、工場等で鋼線束の外面を保護管で覆い、これをロール状に巻き取ったものを現場まで搬送して設置することが行われ、又、断面積が大きい傾斜ケーブルの場合には、全長にわたって保護管を装着したものを巻き取ること、及び、保護管を傷付けないように搬送することが困難なことから、現場において、鋼線束の外面に所要の長さの高密度ポリエチレン製の保護管を配置して、相互に接合することが行われる。
【０００４】
上記したような傾斜ケーブルを有する斜張橋においては、風雨によって傾斜ケーブルがレインバイブレーションと称される振動を生じることが知られている。前記傾斜ケーブルに風が吹き付けるのみの場合には、ケーブル背後にカルマン渦が規則正しく形成されることで渦励振を生じる場合があるが、一般的に振動が小さく、傾斜ケーブルは比較的安定している。一方で、雨を含む風が吹き付けた場合には、傾斜ケーブル表面に付着した水滴がケーブルの上側と下側の風の剥離点付近に集まることによって水路が形成され、傾斜ケーブルが空力的に不安定な断面となることによってレインバイブレーションが発生する。レインバイブレーションが発生すると、傾斜ケーブルと橋桁及び主塔との接合部に過大な力が作用することになり、レインバイブレーションが繰り返し発生する場合には、傾斜ケーブルと橋桁及び主塔との接合部にダメージが蓄積される虞れがある。
【０００５】
尚、上記レインバイブレーションは傾斜ケーブルを有する斜張橋に必ず発生するというものではなく、斜張橋が設置される場所の気象条件（風と雨の条件）が整ったときに発生するものであるが、このような傾斜ケーブルのレインバイブレーションが予測される斜張橋に対しては、レインバイブレーションの発生を防止するための装置を設置する必要がある。
【０００６】
従来から、前記傾斜ケーブルにおけるレインバイブレーション及びその他の振動を防止するための装置としては、各傾斜ケーブルにダンパー装置を設置し、傾斜ケーブルの振動をダンパー装置によって抑制するようにしたものがある（特許文献１、２等参照）。
【０００７】
しかし、特許文献１、２に示すようなダンパー装置は構造が複雑で高価となり、更に、維持・管理のためのメンテナンスを継続して実施していく必要があるという問題がある。又、特許文献１に示されるような油圧ダンパーの場合には制御が必要になるという問題がある。
【０００８】
一方、保護管の表面に突起を設けることでレインバイブレーションの発生を防止するようにしたものがある（特許文献３、４参照）。例えば、特許文献３では前記保護管の表面に螺旋状の突起を設けており、傾斜ケーブルの表面に水路が形成されるのを防ぐことでレインバイブレーションの発生を防止している。又、特許文献４では前記保護管の表面に保護管の長手方向に延びる突起を設けており、傾斜ケーブル表面の水路の位置を固定することでレインバイブレーションの発生を防止している。
【０００９】
又、特許文献５に示すように、構成束の外側に設けられる保護管の端部同士を接続するために、保護管の突き当て端部の外側にスリーブを嵌合し、このスリーブによって環状の突起を形成したものがある。
【００１０】
又、特許文献６に示すように、三角部と突部が外周に形成され且つテンションストラップを備えたダンパーバンドを備え、該ダンパーバンドを傾斜ケーブルの外周面に巻き付けて固定するために、前記テンションストラップの一端と他端に設けた雄と雌を嵌合して固定する固定具、或いはテンションストラップを引っ張ってダンパーバンドに固定する固定具を備えたものがある。
【先行技術文献】
【特許文献】
【００１１】
【特許文献１】特開平１１−１７２６１８号公報
【特許文献２】特開平０７−００３７２０号公報
【特許文献３】特開平０５−０７１１０４号公報
【特許文献４】特開２００５−１５５２８６号公報
【特許文献５】特開２００２−３３３０８４号公報
【特許文献６】米国特許第６３８６５２６号明細書
【発明の概要】
【発明が解決しようとする課題】
【００１２】
しかし、前記特許文献３、４に示すように、保護管の外面に突起を備えるようにしたものは、保護管の成形に手間がかかり、製造コストが増加するという問題がある。又、傾斜ケーブルは作用する風荷重が小さいことが望まれ、よって、傾斜ケーブルの外表面には大きな突起等を有しないことが好ましいが、特許文献４のように保護管の全外周面に比較的高い突起を備えた構成の場合には風荷重が増加するという問題がある。更に、いずれも既設のケーブルに対して設置する場合には多大な労力が必要になるという問題がある。
【００１３】
又、特許文献５の場合には、保護管の端部同士を強度を保持して固定するためのスリーブが外部に突出した形状となっており、このために風荷重が増加する虞れがある。更に、特許文献５の場合には、保護管の突き合わせ端部をスリーブで固定するために突き合わせ部分を加熱して軟化させる必要があるが、この作業を現地で行うことは作業性が低いという問題がある。
【００１４】
一方、特許文献６に示すダンパーバンドは、保護管の外面の任意の位置に設置することはできるが、断面形状が三角部と突部とを有し且つテンションストラップを備えた複雑な組立体の構造を有しているために装置が高価になる問題がある。更に、高所での取り付け作業が大変であると共に、高所において距離を計測しながらダンパーバンドを所定の間隔ごとに取り付ける作業も大変であるという問題がある。又、特許文献６のダンパーバンドは、強度を保持するために三角部と突部を備えた大きな断面形状となっているために、風荷重が増加する虞れがある。
【００１５】
又、上記したように従来の突起を備えた振動防止装置は、傾斜ケーブルに対する設置間隔を容易に選定して取り付けることができない問題があり、又、設置した振動防止装置を撤去する要求が生じた場合にも容易に撤去することができない問題があり、更に、振動防止装置の撤去が可能であっても、斜張橋の供用が開始された後で撤去の要求が生じた場合には、交通を遮断し、足場を建設して撤去作業を実施しなければならず、交通面、作業面での課題を有していた。
【００１６】
本発明は、上記従来の問題に鑑みてなしたもので、簡単な構成で傾斜ケーブルの振動を効果的に防止でき、且つ、傾斜ケーブルに対する取り付け・取り外しが容易に可能な傾斜ケーブルの振動防止装置及びその取り付け・取り外し方法を提供しようとするものである。
【課題を解決するための手段】
【００１７】
本発明は、傾斜ケーブルの外周面に巻き回したゴム線を、前記傾斜ケーブルの長手方向へ所定の間隔で配置するようにした傾斜ケーブルの振動防止装置であって、
ゴム線と、
軸部の一方端に備えて前記ゴム線の一側が取り付けられる取付部と、前記軸部の他方端に備えられ、前記軸部の軸線から離れるように孤状に曲げられた湾曲部、該湾曲部に連なって前記軸部から離れるように曲けられた頂部、該頂部に連なり前記軸部に近付くように曲げられた係止端を有して前記ゴム線の他側に係合・離脱が可能なフック部と、を有する係止部材と、
複数の前記係止部材が所定の間隔を保持するように各係止部材における前記フック部の前記湾曲部に締結したガイドロープと、
からなることを特徴とする傾斜ケーブルの振動防止装置、に係るものである。
【００１８】
上記傾斜ケーブルの振動防止装置において、前記ゴム線は、環状ゴム線、又は、線状ゴム線を所要長さに切断した切断ゴム線であってもよい。
【００１９】
又、上記傾斜ケーブルの振動防止装置において、前記係止部材は、前記軸部の一方端には取付リングによる前記取付部を備え、前記軸部の他方端には前記フック部を備えていてもよい。
【００２０】
又、上記傾斜ケーブルの振動防止装置において、前記係止部材は、前記軸部の両端に互いに逆向きのフック部分を備えたＳ字フックであり、該Ｓ字フックの一方のフック部分は前記取付部であり、前記Ｓ字フックの他方のフック部分は前記フック部であってもよい。
【００２１】
又、上記傾斜ケーブルの振動防止装置において、前記係止部材は、前記軸部の一方端には取付突部による前記取付部を備え、前記軸部の他方端には前記フック部を備えていてもよい。
【００２２】
本発明は、前記傾斜ケーブルの振動防止装置の取り付け・取り外し方法であって、傾斜ケーブルの下側面に、フック部の湾曲部がガイドロープにより所定の間隔で締結され且つ取付部にゴム線の一側が取り付けられた複数の係止部材の１つを配置し、該１つの係止部材の取付部に一側を取り付けたゴム線を前記傾斜ケーブルの外周面に巻き回して他側を前記１つの係止部材のフック部に係止することにより前記１つの係止部材を固定し、続いて、固定した前記１つの係止部材に所定の間隔を保持して締結された他の係止部材をガイドロープの長さを利用して前記間隔で前記傾斜ケーブルの下側面に配置し、前記他の係止部材の取付部に取り付けたゴム線を前記傾斜ケーブルの外周面に巻き回して他側を前記他の係止部材のフック部に係止することにより前記他の係止部材を固定することで振動防止装置の取り付けを行い、振動防止装置の取り外し時には、前記ガイドロープの下端を引っ張ることにより該ガイドロープに締結された各係止部材の前記湾曲部が引っ張られて、各係止端がゴム線の他側から外れることにより取り外されることを特徴とする。
【発明の効果】
【００２３】
本発明の傾斜ケーブルの振動防止装置及びその取り付け・取り外し方法によれば、簡単な構成で、風荷重を増加させること無く傾斜ケーブルの振動を効果的に防止できると共に、各係止部材を所定の間隔で締結したガイドロープにより各係止部材の間隔を容易に位置決めして取り付けることができ、且つ、振動防止装置の取り外し時には、前記ガイドロープの下端を引っ張ることにより該ガイドロープに締結された各係止部材の係止を解いて同時に取り外すことができるという優れた効果を奏し得る。
【図面の簡単な説明】
【００２４】
【図１】本発明の傾斜ケーブルの振動防止装置の一実施例を示す正面図である。
【図２】本発明の振動防止装置を構成する環状ゴム線の正面図である。
【図３】本発明の振動防止装置を構成する係止部材の他の例を示す正面図である。
【図４】本発明の振動防止装置を構成する係止部材の更に他の例を示す正面図である。
【図５】本発明の振動防止装置を構成する切断ゴム線の説明図である。
【図６】係止部材に対する切断ゴム線の取り付け状態を示す正面図である。
【図７】傾斜ケーブルの下面に振動防止装置を設置した状態を示す正面図である。
【図８】（ａ）は図７をＸ−Ｘ方向から見た側面図、（ｂ）は（ａ）の状態からガイドロープを下方へ引っ張った状態を示す作動説明図である。
【図９】図８（ｂ）のガイドロープの引っ張りにより、係止部材のフック部に係止されていたゴム線がフック部から外れる状態を示す正面図である。
【発明を実施するための形態】
【００２５】
以下、本発明の実施の形態を図示例と共に説明する。
【００２６】
図１は本発明の傾斜ケーブルの振動防止装置の一実施例を示す正面図であり、振動防止装置１は、係止部材２と、複数の係止部材２を所要の間隔Ｈで締結するガイドロープ３と、前記係止部材２に取り付けられ、後述する傾斜ケーブルＫの外表面に巻き回して取り付けるようにしたゴム線４とから構成されている。
【００２７】
図１の前記係止部材２は、軸部５の一方端には取付リング６ａからなる取付部６が備えられ、前記軸部５の他方端にはフック部７が備えられている。前記係止部材２のフック部７は、前記軸部５の他方端から孤状に曲げられた湾曲部７ａと、該湾曲部７ａに連なる頂部７ｂと、該頂部７ｂに連なり前記軸部５側に曲げられた係止端７ｃとを有している。図１において、前記軸部５の延長軸線と直交して前記係止端７ｃを通る線よりも頂部７ｂ側は、前記フック部７の係止深さである係止代７ｄを有している。前記係止部材２は、錆び難いステンレス等の金属、或いは自然環境に対して高い耐久性を有する合成樹脂等を用いて製造することが好ましい。
【００２８】
前記ガイドロープ３は、各係止部材２が有するフック部７の湾曲部７ａにおける頂部７ｂ寄りの位置に締結部８を介して固定されている。この締結部８は、前記ガイドロープ３を湾曲部７ａに縛り付けることによって形成してもよく、或いは、Ｕ字状の止め金物をカシメ器具により潰して固定することもできる。前記ガイドロープ３には、自然環境に対して強度を有するものであれば種々の材質のものが使用できるが、軽量で高い強度を有するナイロンロープを用いることが好ましい。
【００２９】
図１における前記ゴム線４は、図２に示す環状ゴム線９を用いた場合を示している。環状ゴム線９には、自然環境に対して強度を有するクロロプレン（ネオプレン）ゴム、エチレン・プロピレンゴム、ウレタンゴム等を用いることができる。環状ゴム線９の径Ｔ（太さ）は、３ｍｍ程度が好ましい。
【００３０】
図２の環状ゴム線９は、円形が直線状（平行な二本線）になるように変形させてその一側４ａを図１の前記取付リング６ａに通し、その通した一側４ａを広げて、その内側に環状ゴム線９の他側４ｂを通すことで締め付けることにより、環状ゴム線９の一側４ａを取付リング６ａに固定している。前記環状ゴム線９は、図１のように直線状に変形した（平行な二本線とした）状態で傾斜ケーブルの外周面に所定の張力で巻付けた際に好適に固定される長さになるよう、図２の環状ゴム線９の直径Ｄが決定されている。
【００３１】
図３は前記係止部材２の他の実施例を示したもので、この係止部材２は、軸部５の両端に、互いに逆向きのフック部分７'，７''が形成されたＳ字フックの場合を示している。図３のＳ字フックによる係止部材２では、フック部分７'はフック部７として湾曲部７ａに締結部８を介して前記ガイドロープ３を固定し、フック部分７''は取付部６として環状ゴム線９の一側４ａを固定している。
【００３２】
図４は前記係止部材２の更に他の実施例を示したもので、この係止部材２は、軸部５の一方端に取付突部６ｂからなる取付部６を備え、軸部５の他方端に前記フック部７を備えている。図４の係止部材２では、フック部７の湾曲部７ａに締結部８を介して前記ガイドロープ３を固定し、取付突部６ｂに環状ゴム線９の一側４ａを固定している。
【００３３】
図５は、前記ゴム線４の他の実施例を示したもので、このゴム線４は、例えばロール状に巻かれた長尺のゴム線１０を、切断機１１によって所定の長さＬに切断することにより製造した切断ゴム線１２の場合を示している。この切断ゴム線１２も前記実施例と同様にクロロプレンゴム、エチレン・プレンゴム、ウレタンゴム等により製造されている。
【００３４】
切断ゴム線１２は、図６に示すように、一側４ａを前記係止部材２の取付リング６ａに通してＵ字状の止め金物１３をカシメ器具により潰すことで取付リング６ａに固定している。切断ゴム線１２の他側４ｂには、前記係止部材２のフック部７を引っ掛けて係止するための止め輪１４を形成している。この止め輪１４は、前記切断ゴム線１２の他側４ｂを折り返してＵ字状の止め金物１３をカシメ器具により潰して固定することで形成できる。図５の前記切断ゴム線１２は、傾斜ケーブルＫの外周面に所定の張力で巻付けた際に好適に固定される長さＬに切断されている。
【００３５】
図５に示した切断ゴム線１２は、図６と同様に、図３に示したＳ字フックによる係止部材２、図４に示した取付突部６ｂからなる取付部６を備えた係止部材２にも適用することができる。
【００３６】
本発明者らは、周長が４４０ｍｍ（直径Ａ＝１４０ｍｍ）の傾斜ケーブルＫに対して、径Ｔが３ｍｍのゴム線４を備えた振動防止装置１を、５００ｍｍ程度の間隔、即ち傾斜ケーブルＫの直径Ａに対して３〜４倍程度の間隔Ｈで配置した試験用模型において、風を作用させたときの風荷重と、風と水滴（雨）を作用させたときのレインバイブレーションの発生を測定する試験を実施した。
【００３７】
試験の結果、上記条件の振動防止装置１によれば、風荷重を増加させること無くレインバイブレーションの発生を低減できることが判明した。
【００３８】
以下に、傾斜ケーブルに対する上記振動防止装置の取り付け・取り外し方法について説明する。
【００３９】
図７、図８（ａ）に示すように、傾斜ケーブルＫの外周面における下側面ｋに、ガイドロープ３により所定の間隔Ｈで締結され、且つ図１、図６に示すように夫々の取付部６にゴム線４の一側４ａが取り付けられた係止部材２の１つを配置し、該係止部材２の取付部６に取り付けたゴム線４を傾斜ケーブルＫの外周面に巻き回して他側４ｂを前記係止部材２のフック部７に係止させて固定する。この時、前記係止部材２は、傾斜ケーブルＫの下側面ｋに沿うように接触している。
【００４０】
続いて、固定した前記係止部材２に間隔Ｈを保持して締結されているガイドロープ３の長さを利用して隣接する他の（下側の）係止部材２を傾斜ケーブルＫの下側面ｋに配置し、該他の係止部材２の取付部６に取り付けたゴム線４を傾斜ケーブルＫの外周面に巻き回して他側４ｂを前記他の係止部材２のフック部７に係止させて固定する。上記作業を繰り返すことにより、すべての係止部材２を所定の間隔Ｈを保持して傾斜ケーブルＫに対し効率良く設置することができる。尚、ガイドロープ３は傾斜ケーブルＫに対して密着させる必要は無く、多少ゆるみがあってもよい。
【００４１】
又、振動防止装置１を傾斜ケーブルＫから取り外す必要が生じた場合には、前記ガイドロープ３の下端を鉛直方向下方へ引っ張る。ガイドロープ３を下方へ引っ張ると、前記ガイドロープ３が締結部８により係止部材２の湾曲部７ａに固定されていることから、傾斜ケーブルＫの下側面ｋに沿って接触していた係止部材２は図８（ｂ）に示すように引き起こされる。更に、図９に示すように、ガイドロープ３が、ゴム線４の一側４ａとの距離に対して他側４ｂとの距離が短い湾曲部７ａに固定されていることから、係止部材２は矢印Ｒ方向へ回転する力を受けることによりフック部７はゴム線４の他側４ｂから外れる。この時、フック部７がゴム線４から確実に外れるようにするためには、頂部７ｂの係止深さである係止代７ｄは小さい方が好ましい。又、このように係止代７ｄを小さく設定しても、振動防止装置１が傾斜ケーブルＫに装着された状態では、フック部７に係止されるゴム線４には張力が作用しているため、フック部７がゴム線４から外れることはない。
【００４２】
上記したように、ガイドロープ３が引っ張られると、各係止部材２のフック部７は次々に係止を解かれるので、最終的には振動防止装置１全体が落下する。
【００４３】
又、前記ゴム線４は、係止部材２の取付部６に固定されたまま落下し、散らばることがないので、作業者はガイドロープ３を手繰り寄せるのみで、振動防止装置の全体を容易に回収することができる。
【００４４】
上記した傾斜ケーブルの振動防止装置によれば、簡単な構成で、風荷重を増加させること無く傾斜ケーブルＫの振動を効果的に防止でき、更に、各係止部材２を所定の間隔Ｈで締結したガイドロープ３により各係止部材２の間隔Ｈを容易に位置決めして取り付けることができ、且つ、振動防止装置の取り外し時には、前記ガイドロープ３の下端を引っ張ることにより該ガイドロープ３に締結された各係止部材２の係止を解いて同時に取り外すことができる。
【００４５】
尚、本発明の傾斜ケーブルの振動防止装置及びその取り付け・取り外し方法は、上述の実施例にのみ限定されるものではなく、前記係止部材の形状は図示例のものに限定されないこと、その他、本発明の要旨を逸脱しない範囲内において種々変更を加え得ることは勿論である。
【符号の説明】
【００４６】
１  振動防止装置
２  係止部材
３  ガイドロープ
４  ゴム線
４ａ        一側
４ｂ        他側
５  軸部
６  取付部
６ａ        取付リング
６ｂ        取付突部
７  フック部
７'        フック部分
７''        フック部分
７ａ        湾曲部
７ｂ        頂部
７ｃ        係止端
８  締結部
９  環状ゴム線
１２  切断ゴム線
Ｈ      間隔
Ｋ      傾斜ケーブル
ｋ      下側面
【図１】
0005929316.tif 000002
【図２】
0005929316.tif 000003
【図３】
0005929316.tif 000004
【図４】
0005929316.tif 000005
【図５】
0005929316.tif 000006
【図６】
0005929316.tif 000007
【図７】
0005929316.tif 000008
【図８】
0005929316.tif 000009
【図９】
0005929316.tif 000010